(57)【要約】【課題】本考案は、取り扱いが容易で冷却効果を安定して維持することができる身体冷却具を提供することを目的とする。【解決手段】身体冷却具１は、布地から構成されるとともに収納部１１が形成された支持体１０と、収納部１１に挿脱可能に収納されるとともに不織布からなる袋カバーに粒状又は粉末状の冷却剤を収容して構成される冷却体１２とを備えている。支持体１０は、帯状の布地を流れ方向の中心線に沿って二つ折りして縁縫いして構成されており、収納部１１は、支持体１０の中央部分において縁縫いにより補強された開口１３を有している。冷却体１２の袋カバーは、矩形状に形成されるとともに長辺方向の長さが開口１３の間隔よりも大きく設定され、不用意に外れないようになっている。【選択図】図１
0003169271.tif 000002
【実用新案登録請求の範囲】
【請求項１】
布地から構成されるとともに収納部が形成された支持体と、前記収納部に挿脱可能に収納されるとともに不織布からなる袋カバーに粒状又は粉末状の冷却剤を収容して構成される冷却体とを備えている身体冷却具。
【請求項２】
前記支持体は、布地を二つ折りして縁縫いして構成されており、前記収納部は、前記支持体の中央部分において縁縫いにより補強された開口を有しており、前記袋カバーは、矩形状に形成されるとともに長辺方向の長さが前記開口の間隔よりも大きく設定されている請求項１に記載の身体冷却具。
【考案の詳細な説明】
【技術分野】
【０００１】
本考案は、高吸水性で保水性を有する高分子材料を用いた身体冷却具に関する。
【背景技術】
【０００２】
気温が高くなる夏の季節には、屋外で活動する場合に体温を下げるために濡れタオル等を首や頭部に接触させることが行われている。濡れタオル等による冷却効果を持続させるためには水分を多く含ませたほうがよいが、水が滴り落ちて衣服が濡れてしまうため、濡れタオル等を絞って水が滴り落ちない程度の含水量にする必要がある。しかしながら、含水量が少ないと冷却効果が長続きしないため、頻繁に濡れタオル等を濡らす手間がかかる。
【０００３】
こうした課題に対処するために吸水性高分子材料を用いた身体冷却具が提案されている。例えば、特許文献１では、高吸水性ポリマーを収容した吸水性繊維からなる内袋と、内袋を収納するように一部を袋状に形成した布製の冷却具本体とを備えた冷却具が記載されている。また、特許文献２では、人体における脇や脚の付け根等のリンパ管又はリンパ節の存する部位を冷却するための水、吸水性ポリマー及び不凍剤を必須構成成分とする含水ゲルを袋体内に封入した冷却ゲルシートと、冷却ゲルシートを挿脱自在に収納する収納部が形成された装着具とを備えた冷却具が記載されている。また、特許文献３では、保水性及び吸湿性を有する粒状又は粉末状の高分子ポリマーと、高分子ポリマーを収納する高吸水性繊維を素材とする帯状の布地体とからなる身体用清涼帯が記載されている。
【先行技術文献】
【特許文献】
【０００４】
【特許文献１】特開２００１−３３３９２８号公報
【特許文献２】特開２００２−２９１７９１号公報
【特許文献３】登録実用新案第３１５００９７号公報
【考案の概要】
【考案が解決しようとする課題】
【０００５】
特許文献１では、冷却剤となる高吸水性ポリマーを収容した内袋を布製の冷却具本体に収納するように構成されているが、内袋が冷却具本体に密封されているため、内袋のみ取り出すことができない。そのため、冷却具全体を水に浸漬する必要があり、水に浸漬した冷却具を身に付けた場合に冷却具から水が滴り落ちて身体表面や衣服が濡れてべたつくようになってしまい、不快感が生じるようになる。
【０００６】
また、特許文献２では、冷却ゲルシートを挿脱自在に収納する収納部を装着具に形成しており、冷却ゲルシートのみ水に浸漬することができるが、装着具を身に付けた状態で動作を行うと、冷却ゲルシートが収納部から抜けやすくなり、利用者が、歩行等の動作を行う場合には不向きである。
【０００７】
また、特許文献３では、帯状の布地体に高分子ポリマーを密封するようにしているが、特許文献１と同様に、布地体全体を水に浸漬する必要があり、水に浸漬した布地体を身に付けた場合に布地体から水が滴り落ちて身体表面や衣服が濡れてべたつくようになってしまう。水が滴り落ちないように布地体を絞ることが考えられるが、布地体を絞り過ぎると含水量が減少して冷却効果が低下してしまうおそれがある。
【０００８】
そして、特許文献１及び３に記載されているように、高分子ポリマーを密封した冷却具の場合、冷却具全体を強く絞るとゲル化した高分子ポリマーがはみ出してくるおそれがあり、含水量の調整が難しく、また冷却具を洗濯機で洗濯する際に高分子ポリマーの漏出の可能性がある。
【０００９】
そこで、本考案は、取り扱いが容易で冷却効果を安定して維持することができる身体冷却具を提供することを目的とする。
【課題を解決するための手段】
【００１０】
本考案に係る身体冷却具は、布地から構成されるとともに収納部が形成された支持体と、前記収納部に挿脱可能に収納されるとともに不織布からなる袋カバーに粒状又は粉末状の冷却剤を収容して構成される冷却体とを備えている。さらに、前記支持体は、布地を二つ折りして縁縫いして構成されており、前記収納部は、前記支持体の中央部分において縁縫いせずに形成された開口を有しており、前記袋カバーは、矩形状に形成されるとともに長辺方向の長さが前記開口の間隔よりも大きく設定されている。
【考案の効果】
【００１１】
本考案は、上記のような構成を有することで、取り扱いが容易で冷却効果を安定して維持することができる。
【図面の簡単な説明】
【００１２】
【図１】本考案に係る実施形態に関する平面図である。
【図２】支持体の製作工程に関する説明図である。
【図３】冷却体を収納部に収納する場合の説明図である。
【図４】冷却体に関する斜視図及び断面図である。
【図５】身体冷却具の装着状態を示す正面図及び背面図である。
【考案を実施するための形態】
【００１３】
以下、本考案に係る実施形態について詳しく説明する。なお、以下に説明する実施形態は、本考案を実施するにあたって好ましい具体例であるから、技術的に種々の限定がなされているが、本考案は、以下の説明において特に本考案を限定する旨明記されていない限り、これらの形態に限定されるものではない。
【００１４】
図１は、本考案に係る実施形態に関する平面図である。身体冷却具１は、吸水性を有する布地からなる支持体１０と、支持体１０の中央部分に形成された袋状の収納部１１に収納された矩形状の冷却体１２とを備えている。収納部１１には、縁部に沿って開口１３が形成されており、冷却体１２は、開口１３から収納部１１内に挿入され、また収納部１１内から取り出されるようになっている。支持体１０の長手方向の一方の端部には、布製の止め具１４が取り付けられており、利用者が首回りに着用した場合に支持体１０の他方の端部の先端部を差し込んで装着するようになっている。
【００１５】
図２は、支持体１０の製作工程に関する説明図である。支持体１０は、図２（ａ）に示すように、両側が一対の湾曲状に形成された細幅の布地を準備し、予め開口１３に対応する縁部の片側の間隔Ｌ１だけ縁縫いし、長手方向の中心線Ｏで二つ折りにする。そして、図２（ｂ）に示すように、長手方向の一端から他端までを連続して縁縫いして袋状に形成する。その際に、予め縁縫いした間隔Ｌ１の部分は、縁縫いしていない片側だけ縁縫いすることで縁縫いにより補強された開口１３が形成される。このように、縁縫いのみで支持体１０を形成することができるので、簡単に製作することが可能となる。
【００１６】
袋状に形成された縫い目ラインＳ１及びＳ２の間には、中央部分に間隔Ｌ１だけ空けて収納部１１の開口１３が形成されており、支持体１０の中央部分において、間隔Ｌ１より長い間隔Ｌ２を空けて支持体１０の短手方向に両側の布地を閉じるように縫製して縫い目ラインＳ３及びＳ４を形成し、矩形状の収納部１１が袋状に形成される。縫い目ラインＳ３は、縫い目ラインＳ１の中央側の端部から（Ｌ２−Ｌ１）／２の長さだけ端側寄りの位置で接続しており、縫い目ラインＳ４は、縫い目ラインＳ２の中央側の端部から（Ｌ２−Ｌ１）／２の長さだけ端側寄りの位置で接続している。
【００１７】
間隔Ｌ１は、冷却体１２の長辺方向の長さよりも短く設定され、間隔Ｌ２は、冷却体１２の長辺方向の長さと同じかわずかに長く設定されている。そのため、冷却体１２を収納部１１内に挿入して冷却体１２の長辺方向を支持体１０の長手方向になる状態で収納すれば、冷却体１２が収納部１１内で揺動しても冷却体１２の長辺の長さが開口１３の長さよりも長いため、開口１３から冷却体１２が不用意に外れることなく安定して保持される。したがって、歩行等の動作中においても冷却体１２が身体に密着して安定した冷却効果を得ることができる。
【００１８】
また、開口１３に対して冷却体１２を出し入れする場合には、図３に示すように、冷却体１２の短辺側の端部から開口１３に出し入れすれば、支持体１０から冷却体１２を容易に着脱することができる。そのため、冷却体１２を収納部１１から取り出して水等に浸漬した後収納部１１に収納すれば、支持体１０を水等に浸漬することがないので、支持体１０が身体にべとつくことがなく快適な着用感を得ることができる。
【００１９】
図４は、冷却体１２に関する外観斜視図（図４（ａ））及び断面図（図４（ｂ））である。冷却体１２は、不織布からなる袋カバー１２ａ及び粒状又は粉末状の高分子材料からなる冷却剤１２ｂを備えている。袋カバー１２ａは、合成繊維製の不織布を二つ折りして周縁部を閉じることで袋状に形成するようにしている。周縁部は、熱融着、超音波による接着、インパルス接着、縫製等の公知の手段によって密着させて閉じることができる。、袋カバー１２ａは、水等の浸漬した状態で速やかに通水して冷却剤１２ｂに供給されるように通水性が良好なものがよく、また冷却剤が漏出しない程度の空隙を備えていることが必要で、目付重量が２０〜１２０ｇ／ｍ2のものが好ましい。
【００２０】
冷却剤１２ｂは、水に不溶性で粒状又は粉末状の形態を保持する耐久性を有するとともに吸水性及び保水性に優れた高分子材料が好ましく、例えばポリアクリル酸ナトリウム等の公知の高分子材料を主成分とするものを用いることができる。
【００２１】
冷却体１２をこうした構成にすることで、冷却体１２を水に浸漬した場合に冷却剤１２ｂが吸水して膨張した状態となって保水された状態となる。保水した冷却体１２を支持体１０の収納部１１に挿着することで、後述するように冷却効果を得ることができる。
【００２２】
図５は、利用者の首回りに身体冷却具を装着した状態を示す正面図（図５（ａ））及び背面図（図５（ｂ））である。支持体１０から冷却体１２を取り外して水に浸漬して冷却剤１２ｂに十分吸水させる。そして、再度冷却体１２を支持体１０に装着する。冷却体１２を装着した状態では、支持体１０の収納部１１の周囲が湿った状態となるものの支持体１０がべとついた状態とはならない。
【００２３】
支持体１０の収納部１１に収納した冷却体１２が首のうなじ部分に当接するように首に掛けて、支持体１０の一方の端部の止め具１４に他方の端部の先端を差し込んで身に付ける。身体冷却具の着用状態では、冷却体１２が支持体１０の布地とともにうなじ部分に密着した状態となり、冷却体１２に含まれる水分の蒸発による気化熱により放熱させることで、うなじ部分から熱が奪われて冷却効果を奏するようになる。また、冷却体１２からにじみ出る水分が部分的に支持体１０を濡らした状態となり、濡れた部分が皮膚表面に密着することで冷感効果を得ることができる。
【００２４】
さらに強い冷感を得たい場合には、冷却体１２を外した支持体１０を水に浸漬した後水が滴らない程度に絞ってから冷却体１２を挿着して使用すれば、支持体１０全体が濡れた状態となってより強い冷感効果を得ること可能となる。このように、冷却体１２を支持体１０から取り外すことができるので、支持体１０のみを水に浸漬して絞ることが可能となり、冷却体１２に含まれる冷却剤１２ｂに影響を与えることなく支持体１０を最適な含水状態に設定することができる。
【００２５】
冷却体１２に含まれる水分が蒸発していき十分な冷却効果が得られなくなった場合には、身体冷却具を首から外して冷却体１２を取り出し再度水に浸漬すれば、冷却体１２の冷却効果を回復させることができる。こうして冷却体１２を繰り返し水に浸漬して冷却効果を保持することができ、冷却体１２を支持体１０の収納部１１に収納しておけば、歩行時に支持体１０が上下動しても冷却体１２が収納部１１から飛び出すことなく安定した状態で保持される。
【００２６】
身体冷却具を繰り返し使用して支持体１０が汗等により汚れてきた場合には、冷却体１２を取り外して支持体１０を洗濯機で洗濯することで、支持体１０を清潔な状態で再使用することができる。洗濯の際に冷却体１２は取り外すので、従来のように冷却剤を密封するタイプのものに比べて洗濯によるゲル化した冷却剤のはみ出しといった問題を生じることがなく、長期間にわたって冷却体の機能を維持して使用することができる。
【００２７】
なお、冷却体１２は、支持体１０から取り外して直接身体に密着させて使用することもでき、また首以外の部分に身に付ける別の支持体に収納して身体冷却具として用いるようにすることもできる。
【符号の説明】
【００２８】
１・・・身体冷却具、１０・・・支持体、１１・・・収納部、１２・・・冷却体、１３・・・開口、１４・・・止め具
【図１】
0003169271.tif 000003
【図２】
0003169271.tif 000004
【図３】
0003169271.tif 000005
【図４】
0003169271.tif 000006
【図５】
0003169271.tif 000007